(57)【要約】【課題】全体を掌で握持可能なハンドル把手を有するハンドル組立体において、容易に高速巻き上げできるようにする。【解決手段】ハンドル組立体２は、ハンドル軸の先端に回転不能に装着されたハンドルアーム６と、ハンドルアーム６の一端部に回転自在に装着されたハンドル把手７と、ハンドル把手７をハンドルアーム６に回転自在に装着するための金属製の回転支持部８とを有している。ハンドル把手７は、回転支持部８の外周側に回転自在に設けられた略卵型形状の合成樹脂製部材である。ハンドル把手７の外形は、全体を掌で握持可能な形状に形成され、指先で摘むための第１及び第２凹部７０ａ，７０ｂが設けられている。【選択図】　　　図４
2004024244.tif 000002
【特許請求の範囲】
【請求項１】
釣り用リールのハンドル軸の先端に回転不能に装着されるハンドル組立体であって、
前記ハンドル軸の先端に回転不能に装着されるハンドルアームと、
前記ハンドルアームの先端に回転可能に装着される回転支持部と、
前記回転支持部に回転不能に装着され、全体を掌で握持可能な形状に形成され、かつ指先で摘むための摘み凹部が設けられたハンドル把手と、
を備えた釣り用リールのハンドル組立体。
【請求項２】
前記摘み凹部は前記ハンドル把手の前記回転支持部装着部分近傍に形成されている、請求項１に記載の釣り用リールのハンドル組立体。
【請求項３】
前記摘み凹部は前記ハンドル把手の複数箇所に形成されている、請求項１又は２に記載の釣り用リールのハンドル組立体。
【請求項４】
前記摘み凹部は前記ハンドル把手の前記回転支持部の軸芯に対して線対称となる位置に形成されている、請求項３に記載の釣り用リールのハンドル組立体。
【請求項５】
前記ハンドル把手は外形が略卵型形状になるように形成されている、請求項１から４のいずれかに記載の釣り用リールのハンドル組立体。
【請求項６】
前記ハンドル把手は外形が略Ｔ字状になるように形成されている、請求項１から４のいずれかに記載の釣り用リールのハンドル組立体。
【請求項７】
前記ハンドル把手は、掌で握持したときに指の腹部が当たる接触凹部をさらに有している、請求項１から６のいずれかに記載の釣り用リールのハンドル組立体。
【請求項８】
前記接触凹部は、
前記ハンドルアームと対向する部分に形成された第１接触凹部と、
前記ハンドルアームと対向する部分と逆側の外側に形成され、前記ハンドル把手を掌で握持したときに拇指丘が接触しやすい第２接触凹部とを有している、請求項７に記載の釣り用リールのハンドル組立体。
【請求項９】
前記第１及び第２接触凹部は、前記ハンドル把手の回転軸芯を中心に対称に２つずつ設けられている、請求項８に記載の釣り用リールのハンドル組立体。
【発明の詳細な説明】
【０００１】
【発明の属する技術分野】
本発明は、ハンドル組立体、特に、全体を掌で握持可能なハンドル把手を有するハンドル組立体に関する。
【０００２】
【従来の技術】
スピニングリールや、両軸受リール等の釣り用リールのハンドル軸の先端には、ハンドル組立体が固定されている。ハンドル組立体は、ハンドル軸の先端に回転不能に装着されたハンドルアームと、ハンドルアームの先端に固定された回転支持部と、回転支持部に回転自在に装着されたハンドル把手とを有している。このようなハンドル把手は、外形が全体を掌で握持可能な形状、たとえば外形が略卵型形状又は略Ｔ字状になるように形成されている。
【０００３】
【発明が解決しようとする課題】
前記従来のハンドル組立体では、ハンドル把手の外形が略卵型形状又は略Ｔ字状になるように形成されているので、大物が引っ掛かったときやジギング等を行うときには、ハンドル把手全体を掌で力強く握持することができる。しかし、たとえば軽負荷時等において、ハンドル把手全体を握持した状態で、釣り糸を高速で巻き上げるのは困難である。
【０００４】
本発明の課題は、全体を掌で握持可能なハンドル把手を有するハンドル組立体において、容易に高速巻き上げできるようにすることにある。
【０００５】
【課題を解決するための手段】
発明１に係るハンドル組立体は、釣り用リールのハンドル軸の先端に回転不能に装着されるハンドル組立体であって、ハンドル軸の先端に回転不能に装着されるハンドルアームと、ハンドルアームの先端に回転可能に装着される回転支持部と、回転支持部に回転不能に装着され全体を掌で握持可能な形状に形成されかつ指先で摘むための摘み凹部が設けられたハンドル把手とを備えている。
【０００６】
このハンドル組立体では、ハンドル把手は、全体を掌で握持可能な形状に形成され、指先で摘むための摘み凹部が設けられている。ここでは、ジギング等を行うときには、ハンドル把手全体を掌で力強く握持することができる。さらに、軽負荷時等において、ハンドル把手の摘み凹部を指先で摘むことにより、容易に高速巻き上げすることができる。
【０００７】
発明２に係るハンドル組立体は、発明１のハンドル組立体において、摘み凹部はハンドル把手の回転支持部装着部分近傍に形成されている。この場合、ハンドル把手の回転軸である回転支持部の装着部近傍に摘み凹部を設けることにより、摘み凹部を指先で摘んでハンドル把手の回転を抑えながら、高速巻き上げすることができる。
【０００８】
発明３に係るハンドル組立体は、発明１又は２のいずれかのハンドル組立体において、摘み凹部はハンドル把手の複数箇所に形成されている。この場合、複数箇所に設けられた摘み凹部を摘むとともに、ハンドル把手を握持したとき指を摘み凹部に当てることができる。
発明４に係るハンドル組立体は、発明３のハンドル組立体において、摘み凹部はハンドル把手の回転支持部の軸芯に対して線対称となる位置に形成されている。この場合、ハンドル把手が回転しても、線対称となる同じ位置に設けられた摘み凹部に指を当てることができる。
【０００９】
発明５に係るハンドル組立体は、発明１から４のいずれかのハンドル組立体において、ハンドル把手は外形が略卵型形状になるように形成されている。この場合、ハンドル把手全体を握持しやすくなる。
発明６に係るハンドル組立体は、発明１から４のいずれかのハンドル組立体において、ハンドル把手は外形が略Ｔ字状になるように形成されている。この場合、ハンドル把手の形成が容易になる。
【００１０】
発明７に係るハンドル組立体は、発明１から６のいずれかに記載のハンドル組立体において、ハンドル把手は、掌で握持したときに指の腹部が当たる接触凹部をさらに有している。この場合には、摘み凹部の摘むのではなくハンドル把手全体を掌で握時したときに指の腹が凹んだ接触凹部に当たるので、握持したときの違和感が生じにくくなり握持しやすくなる。
【００１１】
発明８に係るハンドル組立体は、発明７に記載のハンドル組立体において、接触凹部は、ハンドルアームと対向する部分に形成された第１接触凹部と、ハンドルアームと対向する部分と逆側の外側に形成され、ハンドル把手を掌で握持したときに拇指丘が接触しやすい第２接触凹部とを有している。この場合には、ハンドル把手を掌で握ったときに指先が当たりやすいハンドルアームと対向する部分に第１接触凹部が設けられているので、ハンドル把手を力を入れて握持しやすくなる。また、そのとき脹らんだ拇指丘が第２接触凹部に接触するので違和感が生じにくくなる。
【００１２】
発明９に係るハンドル組立体は、発明８に記載の組立体において、第１及び第２接触凹部は、ハンドル把手の回転中心を中心対称として２つずつ設けられている。この場合には、ハンドル把手が１８０度反転してもハンドル把手を操作しやすくなる。
【００１３】
【発明の実施の形態】
本発明の一実施形態を採用した両軸受リールは、図１に示すように、シングルハンドルタイプの丸型リールであり、リール本体１と、リール本体１の側方に配置されたスプール回転用のハンドル組立体２と、ハンドル組立体２のリール本体１側に配置されたスタードラグ３とを備えている。
【００１４】
リール本体１には、図１に示すように、釣り糸を巻き取りあるいは繰り出すためのスプール１５が回転自在に装着され、竿取付脚４を介して釣竿Ｒに取り付けられている。リール本体１は、図２に示すように、所定の間隔をあけて配置された左右１対の第１側板１０及び第２側板１１と第１側板１０及び第２側板１１を連結する複数の連結部材１２とを有するフレーム５と、フレーム５の両側方に装着された第１側カバー１３及び第２側カバー１４と、第２側カバー１４に装着された機構装着板１６とを有している。機構装着板１６は第２側板１１に接触して配置され、機構装着板１６と第２側カバー１４との間には、各種機構を収納するための空間が形成されている。また、リール本体１の第２側カバー１４後方には、図示しないクラッチ機構を操作するためのクラッチレバー４０が揺動自在に装着されている。
【００１５】
フレーム５はダイカスト成形により得られ、第２側カバー１４は金属薄板をプレス成形して得られる。第１側板１０及び第２側板１１、第１側カバー１３は、それぞれ側面から見て円形をなしており、外周面はたとえば旋盤等を用いて機械加工されている。第２側カバー１４及び機構装着板１６は、図２及び図３に示すように、側面から見て円形の一部が径方向に突出した形状である。第２側カバー１４は、ハンドル軸３０（図２参照）の装着部分を中心に軸方向外方にも膨出している。
【００１６】
連結部材１２は、第１側板１０及び第２側板１１の外周に沿う形状で第１側板１０及び第２側板１１と一体成形された板状の部材であり、たとえばリール本体１の後部と下部と上部との３か所で第１側板１０及び第２側板１１を連結している。この連結部材１２の外周部と第１側板１０及び第２側板１１とは、第１側カバー１３と同様に、一体的に機械加工されている。下部の連結部材１２には竿取付脚４が固定され、後部の連結部材１２には合成樹脂製のサムレスト１７が装着されている。
【００１７】
ハンドル組立体２は、図１から図４に示すように、ハンドル軸３０（図２参照）の先端に回転不能に装着されたハンドルアーム６と、ハンドルアーム６の一端部に回転自在に装着されたハンドル把手７と、ハンドル把手７をハンドルアーム６に回転自在に装着するための金属製の回転支持部８（図３及び図４参照）とを有している。
【００１８】
ハンドルアーム６は、図２に示すように、ハンドル軸３０の径方向に延びる平板状の金属製の部材である。ハンドルアーム６は、ハンドル軸３０の先端に形成された面取り部３０ａに回転不能に係止されており、固定ナット３０ｂによりハンドル軸３０に着脱自在に固定されている。
ハンドル把手７は、図４に示すように、回転支持部８の外周側に回転自在に設けられた略卵型形状の合成樹脂製部材である。ハンドル把手７の外形は、全体を掌で握持可能な形状に形成され、指先で摘むための第１及び第２凹部７０ａ，７０ｂと、指の腹部に当たる第３及び４凹部７０ｃ，７０ｄとが設けられている。
【００１９】
第１凹部７０ａ及び第２凹部７０ｂ（図３参照、摘み凹部の一例）は、図１から図４に示すように、ハンドル把手７の中央部に形成され、回転支持部８の軸芯７ａ（図４）に対して互いに線対称となる位置に形成されている。第３凹部７０ｃ（第１接触凹部の一例）は、図１、図２及び図４に示すように、ハンドル把手７のハンドルアーム６と対向するくびれ部分に形成されている。第４凹部７０ｄ（第２接触凹部の一例）は、図１から図４に示すように、ハンドル把手７の外側にハンドル把手７の略中心に対して第３凹部７０ｃと点対称となる位置に形成されている。
【００２０】
この種のハンドル把手７を把持するには、図５に示すように、第１凹部７０ａ及び第２凹部７０ｂを指先で摘んで、軽負荷時等に高速巻き上げを行うことができる。また、通常は図６に示すようにハンドル把手７全体を掌で握ったり、図７に示すようにハンドル把手７全体を掌で掴んだりすることにより、力強く握持することができる。なお、図６及び図７において、ハンドル把手７全体を掌で握持したとき第１凹部７０ａ及び第３凹部７０ｃに指の腹部が当たるので、握持しやすくなる。また、第４凹部７０ｄに指の腹部である親指の付け根の脹らんだ拇指丘があたるので、違和感が生じにくくなる。
【００２１】
このようなハンドル組立体２では、ハンドル把手７は、全体を掌で握持可能な形状に形成され、指先で摘むための第１凹部７０ａ及び第２凹部７０ｂが設けられている。ここでは、ジギング等を行うときには、ハンドル把手７全体を掌で力強く握持することができる。さらに、軽負荷時等において、ハンドル把手７の第１凹部７０ａ及び第２凹部７０ｂを指先で摘むことにより、容易に高速巻き上げすることができる。
【００２２】
〔他の実施形態〕
（ａ）　前記実施形態では、両軸受リールを例にあげて説明したが、これに限定されるものではなく、スピニングリール等の他のあらゆる釣り用リールにも本発明を適用できる。また、シングルハンドルタイプのリールに限定されず、ダブルハンドルタイプのリールにも本発明を適用できる。
【００２３】
（ｂ）　前記実施形態では、ハンドル把手７の外形が略卵型形状になるように形成されていたが、これに限定されるものではなく、たとえば図８に示すように、外形が略Ｔ字状になるように形成してもよい。
（ｃ）　前記実施形態では、ハンドル把手７には、第１凹部７０ａ〜第４凹部７０ｄが設けられていたが、凹部の形状、位置及び個数等は任意に設定できる。たとえば図８及び図９に示すように、ハンドル把手７の回転支持部８装着部分近傍に回転支持部８の軸芯に対して互いに線対称となる位置に第１凹部７０ａ及び第２凹部７０ｂを形成してもよい。
【００２４】
（ｄ）前記実施形態では、握ったり掴んだりするときに親指の指先で握持しやすくする第３凹部７０ｃ及び拇指丘があたる第４凹部７０ｄを一箇所ずつしか設けなかったが、図１０〜図１２に示すように、第３及び第４凹部７０ｃ，７０ｄをハンドル把手７の回転軸芯７ａを中心に対称に２つずつ設けてもよい。この場合、ハンドル把手７が１８０度反転してもハンドル把手７を操作しやすくなる。なお、ここでは、第１及び第２凹部７０ａ，７０ｂは、平坦面から僅かに凹んで形成されている。また、第３及び第４凹部７０ｃ，７０ｄは、図１２に示すように、平坦面からは凹んでいないが、二点鎖線で示す卵形の仮想表面からは大きく凹んで形成されている。
【００２５】
（ｅ）本発明はハンドル軸に形成された面取り部などにより非円形係合するハンドル組立体だけではなく、ハンドル軸（スピニングリールの場合はマスターギア軸）にねじ込まれるハンドル組立体にも適用できる。
【００２６】
【発明の効果】
本発明によれば、ハンドル把手は、全体を掌で握持可能な形状に形成され、指先で摘むための凹部が設けられているので、ハンドル把手の凹部を指先で摘むことにより、容易に高速巻き上げすることができる。
【図面の簡単な説明】
【図１】本発明の一実施形態を採用した両軸受リールの斜視図。
【図２】前記両軸受リールの断面図。
【図３】前記両軸受リールの側面図。
【図４】ハンドル把手の拡大図。
【図５】前記ハンドル把手を摘んだ状態を示す図。
【図６】前記ハンドル把手を握った状態を示す図。
【図７】前記ハンドル把手を掴んだ状態を示す図。
【図８】他の実施形態の図４に相当する図。
【図９】図８のＩＸ−ＩＸ断面図。
【図１０】さらに他の実施形態の図３に相当する図。
【図１１】その図４に相当する図。
【図１２】図１１のＸＩＩ−ＸＩＩ断面図。
【符号の説明】
１　リール本体
２　ハンドル組立体
６　ハンドルアーム
７　ハンドル把手
８　回転支持部
７０ａ〜７０ｄ　第１凹部〜第４凹部
【図１】
2004024244.tif 000003
【図２】
2004024244.tif 000004
【図３】
2004024244.tif 000005
【図４】
2004024244.tif 000006
【図５】
2004024244.tif 000007
【図６】
2004024244.tif 000008
【図７】
2004024244.tif 000009
【図８】
2004024244.tif 000010
【図９】
2004024244.tif 000011
【図１０】
2004024244.tif 000012
【図１１】
2004024244.tif 000013
【図１２】
2004024244.tif 000014